【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ワイヤレス通信サービスのためのアクセスポイントによって動作可能な方法であって、前記方法は、
モバイルエンティティから接続を確立したいという要求を受信することと、
前記サービスについて前記モバイルエンティティを認証するために前記要求をサービス認証エンティティに転送することと、
前記サービス認証エンティティから前記モバイルエンティティのためのサービスの許可とホワイトスペース（ＷＳ）パラメータとを取得することと、
前記接続がＷＳ中で動作していると判断することと、
前記受信されたＷＳパラメータに少なくとも部分的に基づいて前記ＷＳ中で前記サービスについて前記モバイルエンティティを認証することと
を備える、方法。
【請求項２】
前記受信された要求がロングタームエボリューション（ＬＴＥ）接続確立のための要求を備える、請求項１に記載の方法。
【請求項３】
前記受信された要求が、サービス要求と、トラッキングエリア更新（ＴＡＵ）と、アタッチ要求メッセージとのうちの少なくとも１つを備える、請求項１に記載の方法。
【請求項４】
前記転送された要求は、前記モバイルエンティティのための前記ＷＳパラメータの要求と、前記モバイルエンティティが前記ＷＳ中で動作することを要求するという指示と、前記モバイルエンティティが前記ＷＳ中で動作することが可能であるという指示とのうちの少なくとも１つを含む、請求項１に記載の方法。
【請求項５】
ハンドオーバ中に前記ＷＳパラメータをターゲットｅＮＢに転送することをさらに備える、請求項１に記載の方法。
【請求項６】
ワイヤレス通信サービスのためのアクセスポイントであって、前記アクセスポイントは、
モバイルエンティティから接続を確立したいという要求を受信するための手段と、
前記サービスについて前記モバイルエンティティを認証するために前記要求をサービス認証エンティティに転送するための手段と、
前記サービス認証エンティティから前記モバイルエンティティのためのサービスの許可とホワイトスペース（ＷＳ）パラメータとを取得するための手段と、前記接続がＷＳ中で動作していると判断するための手段と、
前記受信されたＷＳパラメータに少なくとも部分的に基づいて前記ＷＳ中で前記サービスについて前記モバイルエンティティを認証するための手段と
を備える、アクセスポイント。
【請求項７】
ワイヤレス通信サービスのためのサービス認証エンティティによって動作可能な方法であって、前記方法は、
モバイルエンティティのための接続を確立したいという要求をアクセスポイントから受信することと、
前記要求がホワイトスペース（ＷＳ）へのアクセスを備えると判断することと、
ＷＳパラメータに少なくとも部分的に基づいて前記ＷＳ中で前記サービスについて前記モバイルエンティティを認証することと、
前記サービス認証エンティティによる前記モバイルエンティティの認証に応答して、前記アクセスポイントにモバイルエンティティコンテキストの一部として前記ＷＳパラメータを与えることと
を備える、方法。
【請求項８】
前記モバイルエンティティコンテキストが前記モバイルエンティティのサブスクリプション情報を備える、請求項７に記載の方法。
【請求項９】
判断することが、前記要求の一部として前記ＷＳパラメータを受信することを備える、請求項７に記載の方法。
【請求項１０】
判断することが、前記アクセスポイントの識別子に基づいて判断することを備える、請求項７に記載の方法。
【請求項１１】
前記モバイルエンティティが、マスタホワイトスペースデバイス（ＷＳＤ）として構成された前記アクセスポイントとの前記接続を確立することを望むという指示を受信することと、
前記ＵＥが、前記マスタＷＳＤとして構成された前記アクセスポイントを用いたＷＳサービスについて認証されたと判断したことに応答して、前記モバイルエンティティコンテキストの一部として前記ＷＳパラメータを与えることと
をさらに備える、請求項７に記載の方法。
【請求項１２】
ワイヤレス通信サービスであって、
モバイルエンティティのための接続を確立したいという要求をアクセスポイントから受信するための手段と、
前記要求がホワイトスペース（ＷＳ）へのアクセスを備えると判断するための手段と、
ＷＳパラメータに少なくとも部分的に基づいて前記ＷＳ中で前記サービスについて前記モバイルエンティティを認証するための手段と、
前記モバイルエンティティの認証に応答して、前記アクセスポイントにモバイルエンティティコンテキストの一部として前記ＷＳパラメータを与えるための手段と
を備える、ワイヤレス通信サービスのための装置。
【請求項１３】
請求項１−５および請求項７−１１のうちの方法のいずれかを実行するための命令を備える、コンピュータプログラム製品。
【手続補正２】
【補正対象書類名】明細書
【補正対象項目名】０１３８
【補正方法】変更
【補正の内容】
【０１３８】
[00167]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信サービスのためのアクセスポイントによって動作可能な方法であって、前記方法は、
モバイルエンティティから接続を確立したいという要求を受信することと、
前記サービスについて前記モバイルエンティティを認証するために前記要求をサービス認証エンティティに転送することと、
前記サービス認証エンティティから前記モバイルエンティティのためのサービスの許可とホワイトスペース（ＷＳ）パラメータとを取得することと、
前記接続がＷＳ中で動作していると判断することと、
前記受信されたＷＳパラメータに少なくとも部分的に基づいて前記ＷＳ中で前記サービスについて前記モバイルエンティティを認証することと
を備える、方法。
［Ｃ２］
前記受信された要求がロングタームエボリューション（ＬＴＥ）接続確立のための要求を備える、Ｃ１に記載の方法。
［Ｃ３］
前記受信された要求が、サービス要求と、トラッキングエリア更新（ＴＡＵ）と、アタッチ要求メッセージとのうちの少なくとも１つを備える、Ｃ１に記載の方法。
［Ｃ４］
前記転送された要求は、（ａ）前記モバイルエンティティのための前記ＷＳパラメータの要求と、（ｂ）前記モバイルエンティティが前記ＷＳ中で動作することを要求するという指示と、（ｃ）前記モバイルエンティティが前記ＷＳ中で動作することが可能であるという指示とのうちの少なくとも１つを含む、Ｃ１に記載の方法。
［Ｃ５］
ハンドオーバ中に前記ＷＳパラメータをターゲットｅＮＢに転送することをさらに備える、Ｃ１に記載の方法。
［Ｃ６］
ワイヤレス通信サービスのためのアクセスポイントであって、前記アクセスポイントは、
モバイルエンティティから接続を確立したいという要求を受信するための手段と、
前記サービスについて前記モバイルエンティティを認証するために前記要求をサービス認証エンティティに転送するための手段と、
前記サービス認証エンティティから前記モバイルエンティティのためのサービスの許可とホワイトスペース（ＷＳ）パラメータとを取得するための手段と、前記接続がＷＳ中で動作していると判断するための手段と、
前記受信されたＷＳパラメータに少なくとも部分的に基づいて前記ＷＳ中で前記サービスについて前記モバイルエンティティを認証するための手段と
を備える、アクセスポイント。
［Ｃ７］
ワイヤレス通信サービスのためのアクセスポイントであって、前記アクセスポイントは、
モバイルエンティティから接続を確立したいという要求を受信することと、前記サービスについて前記モバイルエンティティを認証するために前記要求をサービス認証エンティティに転送することと、前記サービス認証エンティティから前記モバイルエンティティのためのサービスの許可とホワイトスペース（ＷＳ）パラメータとを取得することと、前記接続がＷＳ中で動作していると判断することと、前記受信されたＷＳパラメータに少なくとも部分的に基づいて前記ＷＳ中で前記サービスについて前記モバイルエンティティを認証することと
を行うように構成された少なくとも１つのプロセッサと、
前記少なくとも１つのプロセッサに結合された、データを記憶するためのメモリと
を備える、アクセスポイント。
［Ｃ８］
前記少なくとも１つのプロセッサが、ロングタームエボリューション（ＬＴＥ）接続確立のための要求を備える前記要求を受信するようにさらに構成された、Ｃ７に記載のアクセスポイント。
［Ｃ９］
前記少なくとも１つのプロセッサが、サービス要求と、トラッキングエリア更新（ＴＡＵ）と、アタッチ要求メッセージとのうちの少なくとも１つを備える前記要求を受信するようにさらに構成された、Ｃ７に記載のアクセスポイント。
［Ｃ１０］
前記少なくとも１つのプロセッサは、（ａ）前記モバイルエンティティのための前記ＷＳパラメータの要求と、（ｂ）前記モバイルエンティティが前記ＷＳ中で動作することを要求するという指示と、（ｃ）前記モバイルエンティティが前記ＷＳ中で動作することが可能であるという指示とのうちの少なくとも１つを備える前記要求を転送するようにさらに構成された、Ｃ７に記載のアクセスポイント。
［Ｃ１１］
前記少なくとも１つのプロセッサが、ハンドオーバ中に前記ＷＳパラメータをターゲットｅＮＢに転送するようにさらに構成された、Ｃ７に記載のアクセスポイント。
［Ｃ１２］
モバイルエンティティから接続を確立したいという要求を受信することと、
前記サービスについて前記モバイルエンティティを認証するために前記要求をサービス認証エンティティに転送することと、
前記サービス認証エンティティから前記モバイルエンティティのための前記サービスの許可とホワイトスペース（ＷＳ）パラメータとを取得することと、
前記受信されたＷＳパラメータに少なくとも部分的に基づいて前記ＷＳ中で前記サービスについて前記モバイルエンティティを認証することと
を、ワイヤレス通信サービスのためのアクセスポイントに行わせるためのコードを備えるコンピュータ可読媒体を備える、コンピュータプログラム製品。
［Ｃ１３］
ワイヤレス通信サービスのためのサービス認証エンティティによって動作可能な方法であって、前記方法は、
モバイルエンティティのための接続を確立したいという要求をアクセスポイントから受信することと、
前記サービスについて前記モバイルエンティティを認証することと、
前記要求がホワイトスペース（ＷＳ）へのアクセスを備えると判断することと、
前記サービス認証エンティティによる前記モバイルエンティティの認証に応答して、前記アクセスポイントにモバイルエンティティコンテキストの一部としてＷＳパラメータを与えることと
を備える、方法。
［Ｃ１４］
前記モバイルエンティティコンテキストが前記モバイルエンティティのサブスクリプション情報を備える、Ｃ１３に記載の方法。
［Ｃ１５］
判断することが、前記要求の一部として前記ＷＳパラメータを受信することを備える、Ｃ１３に記載の方法。
［Ｃ１６］
判断することが、前記アクセスポイントの識別子に基づいて判断することを備える、Ｃ１３に記載の方法。
［Ｃ１７］
認証することが、前記ＷＳパラメータに少なくとも部分的に基づいて前記ＷＳ中で前記サービスについて前記モバイルエンティティを認証することを備える、Ｃ１３に記載の方法。
［Ｃ１８］
前記モバイルエンティティが、マスタＷＳＤとして構成された前記アクセスポイントとの前記接続を確立することを望むという指示を受信することと、
前記ＵＥが、前記マスタＷＳＤとして構成された前記アクセスポイントを用いたＷＳサービスについて認証されたと判断したことに応答して、前記モバイルエンティティコンテキストの一部として前記ＷＳパラメータを与えることと
をさらに備える、Ｃ１３に記載の方法。
［Ｃ１９］
モバイルエンティティのための接続を確立したいという要求をアクセスポイントから受信するための手段と、
前記サービスについて前記モバイルエンティティを認証するための手段と、
前記要求がホワイトスペース（ＷＳ）へのアクセスを備えると判断するための手段と、
前記モバイルエンティティの認証に応答して、前記アクセスポイントにモバイルエンティティコンテキストの一部としてＷＳパラメータを与えるための手段とを備える、ワイヤレス通信サービスのための装置。
［Ｃ２０］
モバイルエンティティのための接続を確立したいという要求をアクセスポイントから受信することと、前記サービスについて前記モバイルエンティティを認証することと、前記要求がホワイトスペース（ＷＳ）へのアクセスを備えると判断することと、前記モバイルエンティティの認証に応答して、前記アクセスポイントにモバイルエンティティコンテキストの一部としてＷＳパラメータを与えることと
を行うように構成された少なくとも１つのプロセッサと、
前記少なくとも１つのプロセッサに結合された、データを記憶するためのメモリと
を備える、ワイヤレス通信サービスのための装置。
［Ｃ２１］
前記プロセッサが、前記モバイルエンティティコンテキスト中に前記モバイルエンティティのサブスクリプション情報を含めるようにさらに構成された、Ｃ２０に記載の装置。
［Ｃ２２］
前記プロセッサは、前記要求の一部として前記ＷＳパラメータを受信することに少なくとも部分的によって、前記要求がＷＳへのアクセスを備えると判断するようにさらに構成された、Ｃ２０に記載の装置。
［Ｃ２３］
前記プロセッサは、前記アクセスポイントの識別子に少なくとも部分的に基づいて、前記要求がＷＳへのアクセスを備えると判断するようにさらに構成された、Ｃ２０に記載の装置。
［Ｃ２４］
前記プロセッサが、前記ＷＳパラメータに少なくとも部分的に基づいて前記ＷＳ中で前記サービスについて前記モバイルエンティティを認証するようにさらに構成された、Ｃ２０に記載の装置。
［Ｃ２５］
前記プロセッサは、
前記モバイルエンティティが、マスタＷＳＤとして構成された前記アクセスポイントとの前記接続を確立することを望むという指示を受信することと、
前記ＵＥが、前記マスタＷＳＤとして構成された前記アクセスポイントを用いたＷＳサービスについて認証されたと判断したことに応答して、前記モバイルエンティティコンテキストの一部として前記ＷＳパラメータを与えることと
を行うようにさらに構成された、Ｃ２０に記載の装置。
［Ｃ２６］
モバイルエンティティのための接続を確立したいという要求をアクセスポイントから受信することと、
ワイヤレス通信サービスについて前記モバイルエンティティを認証することと、
前記要求がホワイトスペース（ＷＳ）へのアクセスを備えると判断することと、
前記モバイルエンティティの認証に応答して、前記アクセスポイントにモバイルエンティティコンテキストの一部としてＷＳパラメータを与えることと
をコンピュータに行わせるためのコードを備えるコンピュータ可読媒体を備える、コンピュータプログラム製品。